(57)【要約】【課題】  ＲＡＷデータ記録モード撮影時の記録媒体に記録できる撮影可能枚数を増やすことを可能にした電子カメラを提供すること。【解決手段】  撮影手段からの出力信号そのままの画像データを記憶する画像データ記憶手段と、前記画像データ記憶手段に記憶した画像データを記録媒体に記録する画像データ記録手段を備え、前記画像データ記憶手段に記憶した画像データの有効画素領域外の現像処理に必要なデータを、有効画素領域内の現像処理に使用しない領域に複製後、前記画像データ記憶手段に記憶した画像データの有効画素領域のみを前記画像データ記録手段により記録媒体に記録する。【選択図】  図１
2011082654.tif 000002
【特許請求の範囲】
【請求項１】
被写体を撮影して画像を生成する撮像手段と、
前記撮影手段からの出力信号そのままの画像データを記憶する画像データ記憶手段と、
前記画像データ記憶手段に記憶した画像データを記録媒体に記録する画像データ記録手段を備え、
前記画像データ記憶手段に記憶した画像データの有効画素領域外の現像処理に必要なデータを、有効画素領域内の現像処理に使用しない領域に複製後、
前記画像データ記憶手段に記憶した画像データの有効画素領域のみを前記画像データ記録手段により記録媒体に記録することを特徴とする画像処理装置。
【請求項２】
有効画像領域外の現像処理に必要なデータが現像処理に不要な領域に入らない場合は有効画像領域の最終画素の後ろに付加することを特徴とする請求項１に記載の画像処理装置。
【請求項３】
複数の有効画素領域を持つことを特徴とする請求項１および請求項２に記載の画像処理装置。
【請求項４】
有効画像領域外の現像処理に必要なデータはオプティカルブラックであることを特徴とする請求項２および請求項３に記載の画像処理装置。
【発明の詳細な説明】
【技術分野】
【０００１】
本発明は、静止画像や動画像を撮像，記録，再生する画像処理装置、画像処理装置の制御方法、記憶媒体に関するものである。
【背景技術】
【０００２】
従来、固体メモリ素子を有するメモリカードを記録媒体として、静止画像や動画像を記録再生する電子カメラ、電子ビデオカメラ等の画像撮影装置が販売されている。このような従来の電子カメラ等の画像撮影装置においては、撮影前に被写体の画像を連続表示して、撮影される画像を確認した上で撮影したり、撮影済の画像を再生表示して確認することが可能である。特に、撮影した画像を撮影直後に再生する機能は利便性が高い。そのため、撮影した画像データを画像表示部での画像再生に適した画像信号形態に変換した後、記録媒体へ記録している。例えば、輝度Ｙ信号、色差Ｒ−Ｙ信号、色差Ｂ−Ｙ信号の組み合わせや、ＲＧＢ信号の組み合わせ等が画像信号形態として用いられている。
【０００３】
一方、ＣＣＤ撮像素子等を有する撮像手段の出力信号をそのまま出力可能とした画像撮影装置も提案されている（特許文献１、特許文献２）。撮像手段の出力信号そのままの画像データ（以下、撮像手段の出力信号そのままの画像データを「ＲＡＷデータ」と記述する。）を利用すると、撮像手段の画素構成、特性等を生かした画像を得ることができ、利用者による画像補正処理時にも、画像劣化のない処理が可能である。
【先行技術文献】
【特許文献】
【０００４】
【特許文献１】特開平１１−２６１９３３号公報
【特許文献２】特開２００１−２２３９７９号公報
【発明の概要】
【発明が解決しようとする課題】
【０００５】
しかしながら、上述の特許文献に開示された従来技術では、撮像素子で捕らえた画像信号をそのまま記録媒体に記録するため画像データ量が多くなる。近年、撮像素子の高画素化が進み、画像データ量が増えることにより、記録媒体に記録できる撮影可能枚数が少なくなるという弊害が発生している。
【０００６】
そこで、本発明の目的は、ＲＡＷデータ記録モード撮影時の記録媒体に記録できる撮影可能枚数を増やすことを可能にした電子カメラを提供することである。
【課題を解決するための手段】
【０００７】
上記目的を達成するために、本発明は、被写体を撮影して画像を生成する撮像手段と、前記撮影手段からの出力信号そのままの画像データを記憶する画像データ記憶手段と、前記画像データ記憶手段に記憶した画像データを記録媒体に記録する画像データ記録手段を備え、前記画像データ記憶手段に記憶した画像データの有効画素領域外の現像処理に必要なデータを、有効画素領域内の現像処理に使用しない領域に複製後、前記画像データ記憶手段に記憶した画像データの有効画素領域のみを前記画像データ記録手段により記録媒体に記録することを特徴とする。
【発明の効果】
【０００８】
本発明によれば、ＲＡＷデータ記録モード撮影時の記録媒体に記録できる撮影可能枚数を増やすことを可能にした電子カメラを提供することができる。
【図面の簡単な説明】
【０００９】
【図１】本発明の実施例における画像処理装置のシステム構成図である。
【図２】本発明の第１の実施例における一連の動作のフローチャートである。
【図３】実施例における撮像素子から読み出した画像データを示した図である。
【発明を実施するための形態】
【００１０】
（実施例１）
以下、図面を参照して本発明の実施例を説明する。
【００１１】
図１は、本発明の実施例の構成を示す図である。図1において、１００は画像処理装置である。
【００１２】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１３】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１４】
２０は画像処理回路であり、 Ａ／Ｄ変換器１６からのデータ或いはメモリ制御回路２２からのデータに対して所定の画素補間処理や色変換処理を行う。
【００１５】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００１６】
さらに、画像処理回路２０においては、撮像した画像データを用いて所定の演算処理を行い、得られた演算結果に基づいてTTL方式のAWB（オートホワイトバランス）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１９】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２０】
画像表示部２８を用いて撮像した画像データを逐次表示すれば、電子ファインダ機能を実現することが可能である。
【００２１】
また、画像表示部２８は、システム制御回路５０の指示により任意に表示をON/OFFすることが可能であり、表示をOFFにした場合にはデジタルカメラ１００の電力消費を大幅に低減することが出来る。
【００２２】
３０は撮影した静止画像や動画像を格納するためのメモリであり、所定枚数の静止画像や所定時間の動画像を格納するのに十分な記憶量を備えている。
【００２３】
これにより、複数枚の静止画像を連続して撮影する連写撮影やパノラマ撮影の場合にも、高速かつ大量の画像書き込みをメモリ３０に対して行うことが可能となる。
【００２４】
また、メモリ３０はシステム制御回路５０の作業領域としても使用することが可能である。
【００２５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２６】
４０は絞り機能を備えるシャッター１２を制御する露光制御手段であり、フラッシュ４８と連携することによりフラッシュ調光機能も有するものである。
【００２７】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２８】
４８はフラッシュであり、AF補助光の投光機能、フラッシュ調光機能も有する。
【００２９】
システム制御部５０は、デジタルカメラ１００全体を制御する。例えば、システム制御部５０は、取得手段１７により取得された画像データに対して画像処理部２０が演算した演算結果に基づき、露光制御手段４０や測距制御手段４２を制御する。
【００３０】
５２はシステム制御回路５０の動作用の定数、変数、プログラム等を記憶するメモリである。
【００３１】
５４はシステム制御回路５０でのプログラムの実行に応じて、文字、画像、音声等を用いて動作状態やメッセージ等を表示する液晶表示装置、スピーカー等の表示部であり、デジタルカメラ１００の操作部近辺の視認し易い位置に単数或いは複数個所設置され、例えばLCDやLED、発音素子等の組み合わせにより構成されている。
【００３２】
また、表示部５４は、その一部の機能が光学ファインダ１０４内に設置されている。
【００３３】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、外部記録媒体１２０の着脱状態表示、通信I/F動作表示、日付け・時刻表示、等がある。
【００３４】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３５】
５６は電気的に消去・記録可能な不揮発性メモリであり、例えばEEPROM等が用いられる。
【００３６】
６０、６１、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３７】
ここで、これらの操作手段の具体的な説明を行う。
【００３８】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００３９】
６１はシャッターボタンで、静止画撮影等するための指示などをユーザから受け付ける。６２はシャッタースイッチSW1で、シャッターボタン６１の操作途中でONとなり、AF（オートフォーカス）処理、AE（自動露出）処理、AWB（オートホワイトバランス）処理、ＥＦ（フラッシュプリ発光）処理等の動作開始を指示する。
【００４０】
６４はシャッタースイッチSW2で、シャッターボタン６１の操作完了でONとなり、撮像素子１４から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、外部記録媒体1２０に画像データを書き込む記録処理という一連の処理の動作開始を指示する。
【００４１】
６６は画像表示ON/OFFスイッチで、画像表示部２８のON/OFFを設定することが出来る。
【００４２】
この機能により、光学ファインダ１０４を用いて撮影を行う際に、TFT LCD等から成る画像表示部への電流供給を遮断することにより、省電力を図ることが可能となる。
【００４３】
６８はクイックレビューON/OFFスイッチで、撮影直後に撮影した画像データを自動再生するクイックレビュー機能を設定するための指示を受け付ける。例えば、画像表示部２８をOFFとした場合におけるクイックレビュー機能の設定を受け付ける機能を備えるものとする。
【００４４】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、アスペクト切り替えボタン、露出補正ボタン、日付/時間設定ボタン等がある。
【００４５】
７２は圧縮モードスイッチで、ＪＰＥＧ圧縮の圧縮率を選択するため、或いは撮像素子１４の信号をそのままディジタル化して記録媒体に記録するＣＣＤＲＡＷモードを選択するためのスイッチである。
【００４６】
ＪＰＥＧ圧縮のモードは、例えばノーマルモードとファインモードが用意されている。
【００４７】
ＪＰＥＧ圧縮のモードに於いては、撮像素子１４から読み出されてＡ／Ｄ変換器１６，画像処理回路２０，メモリ制御回路２２を介して、メモリ３０に書き込まれた画像データを読み出し、圧縮・伸長回路３２により設定した圧縮率に圧縮を行った後、記録媒体1２０に記録を行う。また、撮影画角を切り替えるアスペクト切り替えボタンにより、撮影画角を１６：９または４：３に切り替えることができる。
【００４８】
ＣＣＤＲＡＷモードでは、撮像素子１４の色フィルタの画素配列に応じて、ライン毎にそのまま画像データを読み出して、Ａ／Ｄ変換器１６，メモリ制御回路２２を介して、メモリ３０に書き込まれた画像データを読み出し、記録媒体1２０に記録を行う。
【００４９】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５０】
８２はコネクタ、８４はコネクタ、８６はアルカリ電池やリチウム電池等の一次電池やNiCd電池やNiMH電池、Li電池等の二次電池、ACアダプター等からなる電源手段である。
【００５１】
９０はメモリカード等の外部記録媒体とデータの送受信を行うカードコントローラ、９１はメモリカード等の外部記録媒体とのインタフェース、９２はメモリカード等の外部記録媒体と接続を行うコネクタ、９８はコネクタ９２に外部記録媒体1２０が装着されているか否かを検知する記録媒体着脱検知手段である。
【００５２】
なお、本実施例では記録媒体を取り付けるインタフェースやコネクタは、単数或いは複数、いずれの系統数を備える構成としても構わない。また、異なる規格のインタフェース及びコネクタを組み合わせて備える構成としても構わない。
【００５３】
インタフェース及びコネクタとしては、PCMCIAカードや小型フラッシュメモリーカード等の規格に準拠したものを用いて構成して構わない。
【００５４】
さらに、インタフェース９１、そしてコネクタ９２をPCMCIAカードや小型フラッシュメモリーカード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５５】
１０２は、デジタルカメラ１００のレンズ１０を含む撮像部を覆う事により、撮像部の汚れや破損を防止するバリアである保護手段である。
【００５６】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００５７】
１１０は通信手段で、ＲＳ２３２ＣやＵＳＢ，ＩＥＥＥ１３９４，Ｐ１２８４，ＳＣＳＩ，モデム，ＬＡＮ，無線通信等の各種通信機能を有する。
【００５８】
１１２は通信手段１１０により画像処理装置１００を他の機器と接続するコネクタ或いは無線通信の場合はアンテナである。
【００５９】
以上が画像処理装置１００の全体のシステム構成である。
【００６０】
以下、図２を参照して、本発明の実施例による、ＣＣＤＲＡＷモードでの撮影動作について説明する。
【００６１】
シャッターボタン６１を操作することにより、システム制御回路５０は、システム制御回路５０の内部メモリ或いはメモリ５２に記憶される測光データに従い、露光制御手段４０によって、絞り機能を有するシャッタ１２を絞り値に応じて開放して撮像素子１４を露光する（Ｓ２０１，Ｓ２０２）。
【００６２】
システム制御回路５０は、測光データに従って撮像素子１４の露光終了を待ち（Ｓ２０３）、シャッタ１２を閉じる（Ｓ２０４）。シャッタ１２を閉じるたら、撮像素子１４から電荷信号を読み出し、Ａ／Ｄ変換器１６，画像処理回路２０，メモリ制御回路２２を介して、或いはＡ／Ｄ変換器１６から直接メモリ制御回路２２を介して、メモリ３０に撮影画像のデータを書き込む（Ｓ２０５）。書き込まれた撮影画像データは図３に示すように有効画素領域内の１６：９と４：３の２つの現像処理領域と１つのオプティカルブラック（ＯＢ）領域をもつ。
【００６３】
メシステム制御回路５０は、メモリ３０に書き込まれた画像データ内のＯＢ領域のデータを有効画素領域の現像処理に不要な部分（Ａ，Ｂ，Ｃ，Ｄ）にコピーする（Ｓ２０６）。コピーするデータ量に応じて必要な量だけＡ，Ｂ，Ｃ，Ｄの順に領域を使用する。
【００６４】
必要なＯＢ領域のデータをコピーしたら、メモリ３０に書き込まれた画像の有効画素領域を記録媒体1２０に記録する（Ｓ２０７）。
【００６５】
一連の処理を終えたならば、撮影処理を終了する。
【００６６】
Ｓ２０６において、必要なＯＢ領域のデータをコピーする領域がＡ，Ｂ，Ｃ，Ｄで十分に足りる場合は４つの領域に均等に分けてもよい。
【００６７】
また、Ｓ２０６において、必要なＯＢ領域のデータをコピーする領域がＡ，Ｂ，Ｃ，Ｄの領域では足らない場合は有効画素領域の最終画素の後の領域にＯＢデータをコピーし、Ｓ２０７において、有効画素領域と有効画素領域の最終画素の後のＯＢデータをコピーした領域を記録媒体1２０に記録する。
【００６８】
以上、本発明の好ましい実施形態について説明したが、本発明はこれらの実施形態に限定されず、その要旨の範囲内で種々の変形及び変更が可能である。
【符号の説明】
【００６９】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６１  シャッターボタン
６２  シャッタースイッチSW1
６４  シャッタースイッチSW2
６６  画像表示ON/OFFスイッチ
６８  クイックレビューON/OFFスイッチ
７０  操作部
８０  電源制御手段
８２  コネクタ
８４  コネクタ
８６  電源手段
９０  カードコントローラ
９１  インタフェース
９２  コネクタ
９８  記録媒体着脱検知手段
１００  デジタルカメラ
１０２  保護手段
１０４  光学ファインダ
１２０  外部記録媒体
【図１】
2011082654.tif 000003
【図２】
2011082654.tif 000004
【図３】
2011082654.tif 000005